(57)【要約】【課題】  ドロワーに対して付勢力を作用させる箇所をできるだけ少なくしながら、光ディスクを搭載して駆動する機構部を搭載したドロワーの、記録再生時における振動を抑制する効果の高い光ディスク記録再生装置を提供する。【解決手段】  ドロワー２が収容部３内の第１の位置にあるとき、押圧バネ２０がドロワー２の搬送方向に沿った第１の面を押圧することによって、ドロワー２の搬送方向に対して直交する方向への拘束力が増し、ドロワー２の横揺れを抑制できる。押圧バネ２０を該第１の面に直交し光ディスクの面に略平行であってかつドロワー２の重心を通る仮想線上の位置に配置することにより、付勢力の作用点をドロワーの重心にもっとも近い位置にすることができ、最も効率よくドロワー１の振動を抑制することが可能となる。【選択図】      図１
2008117432.tif 000002
【特許請求の範囲】
【請求項１】
光ディスクを装着して駆動する光ディスク駆動部を少なくとも搭載した可動部と、
前記可動体を前記光ディスクに対して情報を記録再生するときに収容する収容部と、
前記可動部を前記収容部に対して、前記可動部が前記収容部内にあって前記光ディスクに対して情報を記録再生する第１の位置と前記可動部の大部分が前記収容部の外にあって前記光ディスクを前記駆動部に対して着脱する第２の位置との間を搬送する搬送手段と、
前記収容部に取り付けられ、前記可動部が第１の位置にあるとき、前記可動部の搬送方向に沿った複数の面のうちの一方の面である第１の面を押圧して、その反力で前記可動部の他方の面である第２の面を前記収容部の前記第２の面に対向する面に押しつける押圧手段とを有し、
前記押圧手段は、前記収容部の前記第１の面と対向する面に設けられ、前記第１の面に直交し前記光ディスクの面に略平行であってかつ前記稼動部の重心を通る仮想線上の位置に配置されていることを特徴とする光ディスク記録再生装置。
【請求項２】
光ディスクを装着して駆動するディスクモータを有する光ディスク駆動部を少なくとも搭載した可動部と、
前記可動体を前記光ディスクに対して情報を記録再生するときに収容する収容部と、
前記可動部を前記収容部に対して、前記可動部が前記収容部内にあって前記光ディスクに対して情報を記録再生する第１の位置と前記可動部の大部分が前記収容部の外にあって前記光ディスクを前記駆動部に対して着脱する第２の位置との間を搬送する搬送手段と、
前記収容部に取り付けられ、前記可動部が第１の位置にあるとき、前記可動部の搬送方向に沿った複数の面のうちの一方の面である第１の面を押圧して、その反力で前記可動部の他方の面である第２の面を前記収容部の前記第２の面に対向する面に押しつける押圧手段とを有し、
前記押圧手段は、前記収容部の前記第１の面と対向する面に設けられ、前記第１の面に直交し前記光ディスクの面に略平行であってかつ前記ディスクモータのモータ軸線と交わる仮想線上の位置に配置されていることを特徴とする光ディスク記録再生装置。
【請求項３】
光ディスクを装着して駆動する光ディスク駆動部を少なくとも搭載した可動部と、
前記可動体を前記光ディスクに対して情報を記録再生するときに収容する収容部と、
前記可動部と前記収容部を連結するスライド部を有し、前記可動部を前記収容部に対して、前記可動部が前記収容部内にあって前記光ディスクに対して情報を記録再生する第１の位置と前記可動部の大部分が前記収容部の外にあって前記光ディスクを前記駆動部に対して着脱する第２の位置との間を搬送する搬送手段と、
前記スライド部に取り付けられ、前記可動部が第１の位置にあるとき、前記可動部の搬送方向に沿った複数の面のうちの一方の面である第１の面を押圧して、その反力で前記可動部の他方の面である第２の面を前記収容部の前記第２の面に対向する面に押しつける押圧手段とを有し、
前記押圧手段は、前記スライド部の前記第１の面と対向する面に設けられ、前記可動部が第１の位置にあるとき、前記第１の面に直交し前記光ディスクの面に略平行であってかつ前記稼動部の重心を通る仮想線上の位置に配置されていることを特徴とする光ディスク記録再生装置。
【請求項４】
光ディスクを装着して駆動する光ディスク駆動部を少なくとも搭載した可動部と、
前記可動体を前記光ディスクに対して情報を記録再生するときに収容する収容部と、
前記可動部と前記収容部を連結するスライド部を有し、前記可動部を前記収容部に対して、前記可動部が前記収容部内にあって前記光ディスクに対して情報を記録再生する第１の位置と前記可動部の大部分が前記収容部の外にあって前記光ディスクを前記駆動部に対して着脱する第２の位置との間を搬送する搬送手段と、
前記スライド部に取り付けられ、前記可動部が第１の位置にあるとき、前記可動部の搬送方向に沿った複数の面のうちの一方の面である第１の面を押圧して、その反力で前記可動部の他方の面である第２の面を前記収容部の前記第２の面に対向する面に押しつける押圧手段とを有し、
前記押圧手段は、前記スライド部の前記第１の面と対向する面に設けられ、前記可動部が第１の位置にあるとき、前記第１の面に直交し前記光ディスクの面に略平行であってかつ前記ディスクモータのモータ軸線上を通る仮想線上の位置に配置されていることを特徴とする光ディスク記録再生装置。
【発明の詳細な説明】
【技術分野】
【０００１】
本発明は、ＣＤ、ＤＶＤ等の光ディスクに対して情報を記録再生する光ディスク記録再生装置に関する。
【背景技術】
【０００２】
ＣＤ（Compact Disc）規格やＤＶＤ（Digital Versatile Disk）規格と呼ばれる複数種類の記録密度の光ディスクが既に広く普及しているが、近年、これら光ディスクの倍速再生は、ＣＤでは４０倍速、ＤＶＤでは１６倍速というように高速化している。このような高倍速においては、光ディスクは毎分数千回転で回転しており、ディスク駆動時の振動問題が深刻さを増している。特に、偏重心の光ディスクを高速駆動したときに発生する内部振動が、携帯型のパソコン（Personal Computer）のキーボード部等を通してユーザの手に伝わったり、騒音が発生するなどしてユーザに不快感を与えたり、光ディスクに対する記録再生能力を低下させる要因となる。
【０００３】
このような内部振動の問題は、光ディスクの駆動・記録再生機構を装置内に固定したタイプのものより可動式としたもの、すなわち、光ディスク記録再生装置のキャビネットに対して、ディスクモータや光ピックアップ等の光ディスク駆動・記録再生部を搭載した部分（以下、これをドロワーと呼ぶ。）を収納部に対して出し入れ自在に構成した光ディス記録再生装置においてより重大な問題となるため、これらを軽減する方法が求められている。このような要求に対応する方法として、以下のような技術が提案されている（例えば、特許文献１参照。）。
【０００４】
特許文献１には、ドロワーの移動方向に沿う面の手前側近くに設けられたねじりコイルバネによって、装置筐体のドロワーの移動方向に沿う面に対向する面の一部を押圧し、その反力によってドロワーの反対側の面を、装置筐体の面に押し当てることによって振動を防止することが記載されており、付勢力を発生する手段がねじりコイルバネ１個で構成されていることを要点としている。
【特許文献１】特許第３６７４５３９号公報
【発明の開示】
【発明が解決しようとする課題】
【０００５】
特許文献１には、ドロワーへの付勢が装置筐体の前側でされており、その付勢力を受けてドロワーの反対側の面の前側で支持されている。支持点は装置の重心から離れており、偏重心の大きなディスクを駆動する場合、あるいは高速でディスクを駆動する場合には、重心に大きな力が作用し、ドロワーの重心を挟む支持点の反対側の部分が大きく振動し、あるいはその振動によって変形する場合があり、騒音も大きくなるという問題がある。
【０００６】
またドロワーの前側と後側の２箇所で付勢力を発生させ、ドロワーを装置収容部（筐体）に押し付ける方法も考えられるが、部品点数が増えることと、前後の付勢力のアンバランスによって、付勢力の強い側が支持点となって付勢力の弱い側の支持点が移動し、振動する問題がある。
【０００７】
本発明は、上記したような事情に鑑み成されたものであって、ドロワーに対して付勢力を作用させる箇所をできるだけ少なくしながら、光ディスクを搭載して駆動する機構部を搭載したドロワーの、記録再生時における振動を抑制する効果の高い光ディスク記録再生装置の提供を目的とする。
【課題を解決するための手段】
【０００８】
上記目的を達成するために、本発明の光ディスク記録再生装置は、光ディスクを装着して駆動する光ディスク駆動部を少なくとも搭載した可動部と、前記可動体を前記光ディスクに対して情報を記録再生するときに収容する収容部と、前記可動部を前記収容部に対して、前記可動部が前記収容部内にあって前記光ディスクに対して情報を記録再生する第１の位置と前記可動部の大部分が前記収容部の外にあって前記光ディスクを前記駆動部に対して着脱する第２の位置との間を搬送する搬送手段と、前記収容部に取り付けられ、前記可動部が第１の位置にあるとき、前記可動部の搬送方向に沿った複数の面のうちの一方の面である第１の面を押圧して、その反力で前記可動部の他方の面である第２の面を前記収容部の前記第２の面に対向する面に押しつける押圧手段とを有し、前記押圧手段は、前記収容部の前記第１の面と対向する面に設けられ、前記第１の面に直交し前記光ディスクの面に略平行であってかつ前記稼動部の略重心を通る仮想線上の位置に配置されていることを特徴とする。
【０００９】
また、本発明の光ディスク記録再生装置は、光ディスクを装着して駆動するディスクモータを有する光ディスク駆動部を少なくとも搭載した可動部と、前記可動体を前記光ディスクに対して情報を記録再生するときに収容する収容部と、前記可動部を前記収容部に対して、前記可動部が前記収容部内にあって前記光ディスクに対して情報を記録再生する第１の位置と前記可動部の大部分が前記収容部の外にあって前記光ディスクを前記駆動部に対して着脱する第２の位置との間を搬送する搬送手段と、前記収容部に取り付けられ、前記可動部が第１の位置にあるとき、前記可動部の搬送方向に沿った複数の面のうちの一方の面である第１の面を押圧して、その反力で前記可動部の他方の面である第２の面を前記収容部の前記第２の面に対向する面に押しつける押圧手段とを有し、前記押圧手段は、前記収容部の前記第１の面と対向する面に設けられ、前記第１の面に直交し前記光ディスクの面に略平行であってかつ前記ディスクモータのモータ軸線上を通る仮想線上の位置に配置されていることを特徴とする。
【００１０】
また、本発明の光ディスク記録再生装置は、光ディスクを装着して駆動する光ディスク駆動部を少なくとも搭載した可動部と、前記可動体を前記光ディスクに対して情報を記録再生するときに収容する収容部と、前記可動部と前記収容部を連結するスライド部を有し、前記可動部を前記収容部に対して、前記可動部が前記収容部内にあって前記光ディスクに対して情報を記録再生する第１の位置と前記可動部の大部分が前記収容部の外にあって前記光ディスクを前記駆動部に対して着脱する第２の位置との間を搬送する搬送手段と、前記スライド部に取り付けられ、前記可動部が第１の位置にあるとき、前記可動部の搬送方向に沿った複数の面のうちの一方の面である第１の面を押圧して、その反力で前記可動部の他方の面である第２の面を前記収容部の前記第２の面に対向する面に押しつける押圧手段とを有し、前記押圧手段は、前記スライド部の前記第１の面と対向する面に設けられ、前記可動部が第１の位置にあるとき、前記第１の面に直交し前記光ディスクの面に略平行であってかつ前記稼動部の重心を通る仮想線上の位置に配置されていることを特徴とする。
【００１１】
また、本発明の光ディスク記録再生装置は、光ディスクを装着して駆動する光ディスク駆動部を少なくとも搭載した可動部と、前記可動体を前記光ディスクに対して情報を記録再生するときに収容する収容部と、前記可動部と前記収容部を連結するスライド部を有し、前記可動部を前記収容部に対して、前記可動部が前記収容部内にあって前記光ディスクに対して情報を記録再生する第１の位置と前記可動部の大部分が前記収容部の外にあって前記光ディスクを前記駆動部に対して着脱する第２の位置との間を搬送する搬送手段と、前記スライド部に取り付けられ、前記可動部が第１の位置にあるとき、前記可動部の搬送方向に沿った複数の面のうちの一方の面である第１の面を押圧して、その反力で前記可動部の他方の面である第２の面を前記収容部の前記第２の面に対向する面に押しつける押圧手段とを有し、前記押圧手段は、前記スライド部の前記第１の面と対向する面に設けられ、前記可動部が第１の位置にあるとき、前記第１の面に直交し前記光ディスクの面に略平行であってかつ前記ディスクモータのモータ軸線上を通る仮想線上の位置に配置されていることを特徴とする。
【発明の効果】
【００１２】
本発明によれば、光ディスクを搭載して駆動する機構部を搭載したドロワーの記録再生時における振動を抑制することができる。
【発明を実施するための最良の形態】
【００１３】
以下本発明の実施例について図面を参照しながら説明する。
【００１４】
図１は、本発明の一実施形態である光ディスク記録再生装置１の全体的な構成を示す斜視図である。この光ディスク記録再生装置１は、光ディスクを駆動し記録再生する各機構系を搭載した可動部（以下、ドロワーと呼ぶ。）２を収容部３に対して出し入れできる構成となっている。ドロワー２の両側面に設けられたガイド突起４ａ及び４ｂは収納部３の両内側面に設けられたスライドレール受け部５ａ及び５ｂにスライド式のスライドレール（スライド部）６ａ及び６ｂを介して結合されており、ドロワー２は光ディスク面と平行な方向に移動できるように構成されている。
【００１５】
ドロワー２の収容部３内への挿入は手動により行われ、排出はドロワー２の正面パネル７に設けられたスイッチ８を押すことによって図示しないＣＰＵ（Central Processing Unit）がこれを検知し、イジェクト用の図示しないソレノイドに駆動信号を出力するよう制御することによってロック解除が行われ、その後手動でドロワー２を引き出せるようになっている。
【００１６】
以上のように搬送機構が構成されており、ドロワー２を収容部３に対して、ドロワー２が収容部３内にあって光ディスクに対して情報を記録再生する第１の位置と、ドロワー２の大部分が収容部３の外にあって光ディスクを駆動部に対して着脱する第２の位置との間を搬送するようになっている。
【００１７】
ドロワー２の主面には、図示しない光ディスクの外形に適合した凹部９が形成され、この凹部９の中央部には光ディスクのセンタ穴と嵌合して光ディスクを固定するためのディスクチャック機構１０を有するターンテーブル１１が配置されている。このターンテーブル１１はドロワー２内に配置されたディスクモータ１２のモーダ軸１３に直結されている。
【００１８】
ドロワー２内には、ディスクモータ１２およびターンテーブル１１を含む光ディスク駆動機構のほかに、光ピックアップ１４と、この光ピックアップ１４を移動させるためのピックアップ送り機構、更にはドロワー２を収容部３内から自動排出するためのイジェクト用のソレノイドを含むドロワーイジェクト機構などが設けられている。さらにドロワー１の凹部９には、光ピックアップ１４の少なくともピックアップレンズ１５の部分を露出するための開口部１６が形成されている。ドロワー２の裏側にはＣＰＵ、メモリ、各種半導体やコネクタなどの各種電子部品を実装した回路基板１７（図示せず）が設置されている。
【００１９】
収容部３内には、コネクタや電子部品を実装したコネクタ基板１８が固定されている。そして、この収容部３内のコネクタ基板１８はドロワー２内の回路基板１７とフレキシブル配線板１９を通じて電気的に接続されている。
【００２０】
次に、光ディスク記録再生装置１において、収容部３内に装填されたドロワー２が光ディスク駆動時に加速度を受けても収容部３内で振動しないようにするための機構について図２乃至図３を参照して説明する。図２は、ドロワー２への付勢力の方向と作用点を示す図である。図２は、ドロワー２が、収容部３内の第１の位置にあるときを示している。
【００２１】
ドロワー２の搬送方向に沿った複数の面のうちの一方の面である第１の面を押圧して、その反力でドロワー２他方の面である第２の面を収容部３の該第２の面に対向する面に押しつける押圧バネ２０が、収容部３内の該第１の面に対向する面に設けられている。
【００２２】
押圧バネ２０の詳細な位置については後述するが、押圧バネ２０はドロワー２の第１の面のほぼ中央部の１点で、ドロワー２をその搬送方向（矢印Ｙ１−Ｙ２方向）に対して直交する一方向（矢印Ｘ１方向）へ向けて収容部３のもつ面（ドロワー搬送方向に沿った面）に押しつける、より具体的にはドロワー２のガイド突起４ｂの側面（第２の面）を収容部３のスライドレール受け部５の内側面（該第２の面に対向する面）に押しつけることによって、ドロワー１の振動を抑制するように構成されている。
【００２３】
押圧バネ２０は、例えば板バネで構成され、収容部３においてドロワーの第１の面と対向する面に設けられ、該第１の面に直交し光ディスクの面に略平行であってかつドロワー２の略重心２１を通る仮想線２２上の位置に配置されている。付勢力の作用点をドロワーの重心２１にもっとも近い位置にすることにより、最も効率よくドロワー１の振動を抑制することが可能となる。
【００２４】
ドロワー２が第１の位置にあるとき、ドロワー２の押圧バネ２０に対応する位置には突起２３が設けられており、ドロワー２が第１の位置に到達する近辺で付勢力が作用するようになっている。こうすることにより、ドロワー２の搬送時の押圧バネ２０との接触抵抗及びドロワー２の第２の面と収容部３の該第２の面に対向する面との接触抵抗を軽減することができる。
【００２５】
また押圧バネ２０は、スライドレール６の内側に設置することも可能である。図３はスライドレール６の内側に押圧バネ２０ａを設けた図である。その場合にガイド突起４の側面の一部に、押圧バネ２０ａが通過できる溝を設けることにより可能となる。第１の位置の近辺で溝の深さを徐々に浅くすることによって、押圧バネ２０ａによる付勢力を受けるようにすればよい。
【００２６】
また、押圧バネ２０は、該第１の面に直交し光ディスクの面に略平行であってかつ前記ディスクモータのモータ軸１３の軸線上を通る仮想線２４上の位置に配置されていてもよい。付勢力の作用点を光ディスクの回転中心にもっとも近い位置にすることにより、効率よくドロワー１の振動を抑制することが可能となる。ドロワーの重心２１はディスクモータにモータ軸の近辺であり、さらに光ディスクが装着されることによって、さらに重心２１がモータ軸に近づくためである。
【００２７】
以上説明したように本発明によれば、ドロワー２が収容部３内の第１の位置（光ディスク記録再生位置）にあるとき、押圧バネ２０がドロワー２の搬送方向に沿った第１の面を押圧することによって、ドロワー２の搬送方向に対して直交する方向への拘束力が増し、ドロワー２の横揺れを抑制できる。押圧バネ２０を該第１の面に直交し光ディスクの面に略平行であってかつドロワー２の略重心２１を通る仮想線上の位置に配置することにより、付勢力の作用点をドロワーの重心２１にもっとも近い位置にすることができ、最も効率よくドロワー１の振動を抑制することが可能となる。
【図面の簡単な説明】
【００２８】
【図１】本発明の一実施形態である光ディスク記録再生装置１の全体的な構成を示す斜視図。
【図２】ドロワー２への付勢力の方向と作用点を示す図。
【図３】スライドレール６の内側に押圧バネ２０を設けた図。
【符号の説明】
【００２９】
１  光ディスク記録再生装置
２  ドロワー
３  収容部
４ａ、４ｂ  ガイド突起
５ａ、５ｂ  スライドレール受け部
６ａ、６ｂ  スライドレール
７  正面パネル
８  スイッチ
９  凹部
１０  ディスクチャック機構
１１  ターンテーブル
１２  ディスクモータ
１３  モータ軸
１４  光ピックアップ
１５  ピックアップレンズ
１６  開口部
１８  コネクタ基板
１９  フレキシブル配線板
２０、２０ａ  押圧バネ
２１  重心
２２  仮想線
２３  突起
２４  仮想線
【図１】
2008117432.tif 000003
【図２】
2008117432.tif 000004
【図３】
2008117432.tif 000005